(57)【要約】      （修正有）【課題】草花を固定することができ、複数の草花を整然とその上に配列し、整理および包装がしやすくなる草花固定スタンドの構造を提供する。【解決手段】主にスタンド本体１で構成する草花固定スタンドである。クランプセット２にある第一弾力リブ２１および第二弾力リブ２２によって形成する収納槽に、草花の茎を収納槽内に嵌めこみ、第一弾力リブおよび第二弾力リブによって両サイドを挟持し、草花を定位する効果がある。【選択図】図１
0003186914.tif 000002
【実用新案登録請求の範囲】
【請求項１】
スタンド本体を含み、
該スタンド本体に複数のクランプセットを設け、各クランプセットに含まれるのは第一弾力リブと第二弾力リブであり、該第一弾力リブと第二弾力リブの間に一つの収納槽を形成し、該収納槽に一つの幅の広い部分と狭い部分を設け、該幅の狭い部分は幅の広い部分よりも収納槽の開口に近く、
その中、草花の茎を収納槽内に嵌めこむことができ、且つ第一、第二弾力リブによって両サイドを挟持し、また、幅の狭い部分によって茎が収納槽より滑り出るのを制限するため、草花を定位する効果に達することを特徴とする草花固定スタンドの構造。
【請求項２】
前記第一弾力リブに一つの接続部分、一つの彎曲部分および一つの弾性抵触部分を設け、該接続部分の一端はスタンド本体と接続し、別端は彎曲部分の一端と接続し、該弾性抵触部分の一端は彎曲部分の別端と接続し、且つ該弾性抵触部分の別端はスタンド本体に向かって延伸するフリーエンドであり、弾性抵触部分と接続部分は並列して設置することを特徴とする請求項１記載の草花固定スタンドの構造。
【請求項３】
前記スタンド本体は長い棒状であり、且つ該複数のクランプセットは等間隔にスタンド本体の片側に設置し、該第二弾力リブに一つの内側彎曲部分および外側彎曲部分を設け、該内側彎曲部分の一端をスタンド本体と接続し、且つ内側彎曲部分は弾性抵触部分と対応し、且つ弾性抵触部分の反対方向に向かって彎曲し、該外側彎曲部分の一端は内側彎曲部分の別端と接続し、該外側彎曲部分の別端は第一弾力リブの反対方向に向かって彎曲延伸してフリーエンドとなし、該複数の第一弾力リブおよび該複数の第二弾力リブは交差して設置することを特徴とする請求項２記載の草花固定スタンドの構造。
【考案の詳細な説明】
【技術分野】
【０００１】
本考案は草花固定スタンドの構造に関し、特に草花の技術範囲に応用するもので、草花を固定することができ、複数の草花を整然とその上に配列し、整理および包装がしやすくなる草花固定スタンドの構造に関する。
【背景技術】
【０００２】
花産業は伝統地域において、比較的競争力のある農業産業の一つである。例年、伝統地域で生産する草花はほぼ国内の消費マーケットに供給するのが主であり、輸出の割合は低かったが、最近１０数年、草花を植える面積が絶えず拡大しているのにつれ、国産のマーケティングルートと販売規模を大きくするため、引き続き国内消費者の購入意欲をかきたて、草花に対するニーズを高め、消費レベルを上げるほか、積極的に国産花の海外マーケット販売ルートの開発を行い、有効的に草花の輸出を広げることが、国産の販売規模を拡大する大切な道のりであり、また、国産花産業を永続発展していく一つの重要な仕事である。
【０００３】
通常の切花類と枝・葉などの草花を箱詰めする際、包装しにくく分散しやすく、全体の見た目に影響を及ぼし、箱詰めの草花を受け取る人或いは国家によくない印象を与えるほか、草花の販売にも著しく影響を及ぼすこともある。これらの問題を解決するため、多くの草花関連業者はテープやベルト或いは紐などを使って、花の茎の部分を束に縛ってから箱詰めすることで、草花が箱内での整然さを保つ。ただ、縛られていない側は花火のように広がるため、運搬および運輸過程において、揺れることにより茎が彎曲或いは折れてしまうため、質のよい草花を購入者に提供することができない。
【０００４】
関連業者は従来の技術を突破するため、中華民国の特許申請案第Ｍ３９５６６０号の「包装ボックスの改良構造」を参照した。当該申請案は一つのボックスおよび一つの連結台で構成し、連結台の両サイドにある差込プレイトをボックスの両サイドにある遮断プレイトの固定穴内に差し込むことで、差込プレイトが遮断プレイト内のメザニンに差し込み、且つ連結台の連結部分がＶ状の定位槽に嵌るために、連結台のＶ状サポート部分が掛合固定して変形しない。また、ボックスの定位リブを連結台の両サイドの固定部に掛合することで、当該構造により、草花の茎を素早く連結台の開口槽より定位穴内に嵌めることができる。
【０００５】
従来技術は草花を差込プレイトに固定することができ、整然とボックス内に定位付けすることはできるが、草花の茎の太さはまばらであるのに対し、従来技術の連結台の開口サイズは固定しているため、嵌めて固定できる草花のサイズに限りがあることなどを鑑みて、更なる改善が必要である。
【先行技術文献】
【特許文献】
【０００６】
【特許文献１】特開２００４−２９８００７号公報
【考案の概要】
【考案が解決しようとする課題】
【０００７】
前記従来技術の欠点を解決するため、本考案は草花が整然と配列した状態で嵌めて固定することができ、更に微調整が可能であるため、様々なサイズの茎に適用し、安定した定位効果を具有する草花固定スタンドの構造を提供することを主な課題とする。
【課題を解決するための手段】
【０００８】
上述の目的を解決するために、本考案は草花固定スタンドの構造を提供するものである。本考案の草花固定スタンドはスタンド本体を含み、該スタンド本体に複数のクランプセットを設け、各クランプセットに含まれるのは第一弾力リブと第二弾力リブである。該第一弾力リブと第二弾力リブの間に一つの収納槽を形成し、該収納槽に一つの幅の広い部分と狭い部分を設け、該幅の狭い部分は幅の広い部分よりも収納槽の開口に近い。その中、草花の茎を収納槽内に嵌めこむことができ、且つ第一、第二弾力リブによって両サイドを挟持し、また、幅の狭い部分によって茎が収納槽より滑り出るのを制限するため、草花を定位する効果に達する。
【０００９】
本考案は更に一つの技術特徴として、該第一弾力リブに一つの接続部分、一つの彎曲部分および一つの弾性抵触部分を設け、該接続部分の一端はスタンド本体と接続し、別端は彎曲部分の一端と接続し、該弾性抵触部分の一端は彎曲部分の別端と接続し、且つ該弾性抵触部分の別端はスタンド本体に向かって延伸するフリーエンドである。弾性抵触部分と接続部分は並列して設置する。
【００１０】
本考案は更に一つの技術特徴として、該スタンド本体は長い棒状であり、且つ該複数のクランプセットは等間隔にスタンド本体の片側に設置する。該第二弾力リブに一つの内側彎曲部分および外側彎曲部分を設け、該内側彎曲部分の一端をスタンド本体と接続し、且つ内側彎曲部分は弾性抵触部分と対応し、且つ弾性抵触部分の反対方向に向かって彎曲する。該外側彎曲部分の一端は内側彎曲部分の別端と接続し、該外側彎曲部分の別端は第一弾力リブの反対方向に向かって彎曲延伸してフリーエンドとなす。該複数の第一弾力リブおよび該複数の第二弾力リブは交差して設置する。
【考案の効果】
【００１１】
本考案は該クランプセットに第一弾力リブおよび第二弾力リブを設置し、該第一、第二弾力リブによって形成する収納槽に、草花の茎を該収納槽内に嵌めこみ、第一弾力リブおよび第二弾力リブによって両サイドを挟持することで、草花を定位する効果に達する。
【図面の簡単な説明】
【００１２】
【図１】本考案の立体略図である。
【図２】本考案の使用状態図である。
【図３】本考案および草花をボックス内に収納した略図である。
【図４】本考案の局部拡大図である。
【図５】本考案の使用状態局部断面図である。
【考案を実施するための形態】
【００１３】
以下、本考案の目的と効果を、最良実施例と図面を参照しながら詳細に説明する。
【実施例】
【００１４】
図１から図２に示すように、本考案の草花固定スタンドはスタンド本体１を含み、該スタンド本体１に複数のクランプセット２を設ける。本考案では１０組のクランプセット２を具有し、各クランプセット２に含まれるのは第一弾力リブ２１と第二弾力リブ２２である。図に示すように、第一弾力リブ２１と第二弾力リブ２２は隣に設置し、第一弾力リブ２１と第二弾力リブ２２の間に一つの収納槽２３を形成し、該収納槽２３に一つの幅の広い部分２３１と狭い部分２３２を設け、該幅の狭い部分２３２は幅の広い部分２３１よりも収納槽２３の開口に近い。
【００１５】
図２に示すように、五本の草花１０を例に上げるとして、各草花１０の茎１０１をそれぞれ収納槽２３内に挿入し、幅の広い部分２３１に嵌めて固定することができる。幅の広い部分２３１の直径は幅の狭い部分２３２より大きく、幅の狭い部分２３２の直径は茎１０１よりも小さいため、茎１０１を幅の広い部分２３１内に留まらせることができ、外力を受けても収納槽２３から滑り出しにくくなる。図から分かるように、多くの草花１０をそれぞれ本考案の収納槽２３内に整然と並べた状態で嵌めることができ、同時に互いが重なるおよび邪魔をすることはない。更に図３に示すように、包装する者は、直接本考案とそれに嵌めている草花１０を手軽にフラワーバッグ２０内およびボックス３０内に収納することができるため、草花１０が運輸の過程において、道路状況が悪く、或いは持つ人が揺らすなどの原因により折れたりスライドしたりすることを避けることができ、草花１０が完璧な状態で購入者の手元に届けることができる。
【００１６】
前記は本考案の主な実施例の主な技術特徴であり、本考案の請求項１の内容に対応し、本考案の目的と実施形態の詳細を知ることができる。その他の付属請求項が述べる技術特徴は、請求項１の内容を更に詳しく述べる、或いは技術特徴を付加したものであり、請求項１の範囲を制限するものではない。
【００１７】
更に本考案の第一弾力リブ２１の細部構造を紹介する。図４に示すように、該第一弾力リブ２１に一つの接続部分２１１、一つの彎曲部分２１２および一つの弾性抵触部分２１３を設け、該接続部分２１１の一端はスタンド本体１と接続し、別端は彎曲部分２１２の一端と接続し、該弾性抵触部分２１３の一端は彎曲部分２１２の別端と接続し、且つ該弾性抵触部分２１３の別端はスタンド本体１に向かって延伸するフリーエンドである。弾性抵触部分２１３と接続部分２１１は並列して設置し、該彎曲部分２１２はややスタンド本体１の外に向かって彎曲する。接続部分２１１、彎曲部分２１２および弾性抵触部分２１３の三者が囲って弾性スペース２１４を形成することで、弾性抵触部分２１３は外力から押される場合、接続部分２１１の方向に向かって弾力を圧縮され、外力が解除したときに、弾性的に元の位置に戻る。
【００１８】
更に本考案の第二弾力リブ２２の細部構造を紹介する。該第二弾力リブ２２に一つの内側彎曲部分２２１および外側彎曲部分２２２を設け、該内側彎曲部分２２１の一端をスタンド本体１と接続し、且つ内側彎曲部分２２１は弾性抵触部分２１３と対応し、且つ弾性抵触部分２１３の反対方向に向かって彎曲する。該外側彎曲部分２２２の一端は内側彎曲部分２２１の別端と接続し、該外側彎曲部分２２２の別端は第一弾力リブ２１の反対方向に向かって彎曲延伸してフリーエンドとなす。第二弾力リブ２２の一端はスタンド本体１と接続し、別端はフリーエンドであるため、外力を受けて押される際にも、第二弾力リブ２２は弾性的に彎曲したり、スイングしたりすることができる。
【００１９】
前記の第一弾力リブ２１および第二弾力リブ２２の構造の描写に基づき、更に両者に草花１０を嵌める状況を詳しく説明する。図５に示すように、茎１０１の直径が幅の広い部分２３１の直径より大きい場合、茎１０１を幅の広い部分２３１に嵌めるとき、茎１０１の両サイドはそれぞれ第一弾力リブ２１の弾性抵触部分２１３を接続部分２１１の方向に押して彎曲し、および第二弾力リブ２２の内側彎曲部分２２１は第一弾力リブ２１の方向に彎曲することで、幅の広い部分２３１の直径サイズを拡大する。更に第一弾力リブ２１および第二弾力リブ２２がそれぞれ弾性的に茎１０１の両サイドを挟持するため、茎１０１がしっかりと収納槽２３の中に定位し、容易に上下或いは幅の狭い部分２３２の方向にスライドしない。また、本考案は第二弾力リブ２２の内側彎曲部分２２１および外側彎曲部分２２２の彎曲方向が反対となるように設置することにより、幅の広い部分２３１および幅の狭い部分２３２の二つ異なる直径の構造を具有することができる。
【００２０】
この他、図１に示すように、該スタンド本体１は長い棒状であり、且つ該複数のクランプセット２は等間隔にスタンド本体１の片側に設置する。更に図３に示すように、該スタンド本体１は平らにボックス３０内に設置することができるため、草花１０は全て同じ側に設置することができ、収納しやすい。
【００２１】
また、該複数の第一弾力リブ２１および該複数の第二弾力リブ２２は交差して設置することで、第一弾力リブ２１および第二弾力リブ２２がしっかりと茎１０１を挟持する効果を持つ。
【００２２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２３】
１０  草花
１０１  茎
２０  フラワーバッグ
３０  ボックス
１  スタンド本体
２  クランプセット
２１  第一弾力リブ
２１１  接続部分
２１２  彎曲部分
２１３  弾性抵触部分
２１４  弾性スペース
２２  第二弾力リブ
２２１  内側彎曲部分
２２２  外側彎曲部分
２３  収納槽
２３１  幅の広い部分
２３２  幅の狭い部分
【図１】
0003186914.tif 000003
【図２】
0003186914.tif 000004
【図３】
0003186914.tif 000005
【図４】
0003186914.tif 000006
【図５】
0003186914.tif 000007